(57)【特許請求の範囲】
【請求項１】
コンピュータが、車両空間を区分けする分割領域毎に、該分割領域に割り当てられた仕様コードを参照する参照ステップと、
コンピュータが、前記分割領域のなかから、割り当てられた仕様コードの個数が最も多い第１の分割領域を特定する第１特定ステップと、
コンピュータが、前記第１の分割領域に割り当てられた仕様コードと共通するものが少なくとも一つ割り当てられた、前記第１の分割領域と繋がりのある前記分割領域のなかから、割り当てられた仕様コードの個数が最も多い第２の分割領域を特定する第２特定ステップと、
コンピュータが、前記第１の分割領域に配索可能な第１のワイヤハーネスのいずれか一つと、前記第２の分割領域に配索可能な第２のワイヤハーネスのいずれか一つと、について少なくとも記述された部位毎コネクタ・配線情報を、該第１のワイヤハーネスと該第２のワイヤハーネスの組合せの数作成する作成ステップと、
コンピュータが、作成した前記部位毎コネクタ・配線情報に対して、電線の接続の誤りの有無を検査する検査ステップと、
を有することを特徴とするワイヤハーネス導通検査方法。
【請求項２】
コンピュータに、請求項１に記載のワイヤハーネス導通検査方法の各ステップを実行させるためのワイヤハーネス導通検査プログラム。
【発明の詳細な説明】
【技術分野】
【０００１】
本発明は、ある車種に対して作成された、補機に接続される電線及びコネクタに関する配線情報により構成される補機毎配線情報（より詳細には、その車種のグレード毎、およびオプション機能の有無毎に応じて作成された補機毎配線情報）に記述されている回路線の始点−終点の接続と、分割領域毎に設計されたワイヤハーネスを構成するコネクタ情報により構成される部位毎コネクタ情報および分割領域毎に設計されたワイヤハーネスを構成する配線情報により構成される部位毎配線情報（部位毎コネクタ情報および部位毎配線情報は、該補機毎配線情報に基づいて作成された実体配線図および該車種の補機仕様表に基づき展開された図。以後、部位毎コネクタ情報および部位毎配線情報を総して、「部位毎コネクタ・配線情報」と称する。）に記述されている電線の接続と、を比較し、部位毎コネクタ・配線情報に記述されている電線の接続の誤りの有無を検査するためのワイヤハーネス導通検査方法およびワイヤハーネス導通検査プログラムに関する。
【背景技術】
【０００２】
ある車両に配索するワイヤハーネスを設計する際、そのワイヤハーネスを構成する電線の接続を表す設計図を作成する必要がある。以下、ワイヤハーネスを設計する過程を説明する。
【０００３】
ある車両に配索するワイヤハーネスを設計するに当たって、該当車両の補機毎配線情報と補機仕様表の２つの仕様書が必要となる。まず補機毎配線情報と、その補機毎配線情報に基づいて作成される実体配線図について説明する。補機毎配線情報および実体配線図は、近年では、ＣＡＤ（Computer Aided Design）によって設計されることができる（例えば特許文献１）。
【０００４】
補機毎配線情報は、ヘッドランプシステム、エアバックシステム、エアコンシステム、エンジンコントロールシステム、アンチロックブレーキシステム等の、車両に搭載され、それぞれ独立して駆動するシステム毎に用意されるものである。このシステムを駆動するためには、このシステムを構成する電気部品（例えば、バッテリー、ＥＣＵ（Electronic Control Unit）、駆動機）間を信号線、電源線およびアース線によって繋ぐ必要があるが、補機毎配線情報には、これら信号線、電源線およびアース線の電線の始点と終点がどの電気部品のどの端子に接続されるか、および、どの電線に結線されるのか、などの回路線としての接続情報と、信号線、電源線およびアース線の電線を電気部品に接続する補機についての補機情報と、が示されている。尚、補機毎配線情報は、複数の電気部品から構成されるシステムの回路図を表すことを主な目的としているため、電線に関しての情報は含まれていない。
【０００５】
そこで、この補機毎配線情報に上述した電線の情報を付加した実体配線図を作成する。実体配線図には、電気部品間を繋ぐ補機毎配線情報に記述された回路線に上述した電線の情報が付加して記述されるとともに、車両空間を機能別に分割した、ワイヤハーネスを配索可能な領域（エンジンルーム、車室内壁、またはトランクルームなど。以後、これらの領域のことを分割領域と称する。）毎に区分けされている。例えば、補機毎配線情報に記述されているある回路線が複数の分割領域を跨いで複数の電気部品に接続されている場合、該回路線は、実体配線図において、その始点と終点にて電気部品の端子に接続される端子またはコネクタについての情報が記述されるとともに、その分割領域に位置する各電線（分割領域単位でワイヤハーネスが配索されるため、各分割領域の電線を連結して複数の電気部品の端子間を接続する必要がある。）の情報、および各分割領域に位置する電線の端部を接続するコネクタ、ＪＢ（Junction Box）、ＪＣ（Joint Connector）などの補機についての情報（電線の端部を溶接や、突き合わせ圧着して接続する場合にはその旨の情報）が記述されている。このように電線の情報が記述された実体配線図が、車両に搭載されたシステム毎に作成される。
【０００６】
続いて、補機仕様表について説明する。
【０００７】
補機仕様表には、汎用型のワイヤハーネスの構成（そのワイヤハーネスの品番、そのワイヤハーネスが適用可能な仕様の組合せ、そのワイヤハーネスを配索可能な適用車両の識別情報、および該適用車両の配索可能な分割領域など）がワイヤハーネス毎にマトリクス状に記述されている。
【０００８】
このようにして作成した実体配線図および補機仕様表に基づいて、続いて、部位毎コネクタ・配線情報を作成する。部位毎コネクタ・配線情報には、実体配線図に記述された電線を含みつつ（すなわち、車両に搭載されたシステムを全て駆動させることができつつ）、対象となる車両の分割領域毎に配索可能なワイヤハーネスが記述されている。部位毎コネクタ・配線情報を作成するには、概略的には、次の工程を経て該当分割領域に配索可能なワイヤハーネスを補機仕様表から特定する。まず、車両に搭載されたシステム全ての実体配線図を参照し、該当分割領域において該システムを全て駆動させるために必要とされる仕様コードを特定する。その特定した仕様コードを参照し、該仕様コードを全て組合せに含むワイヤハーネスを特定する。この工程を全ての分割領域に対して実行することによって、対象となる車両の分割領域毎に配索可能なワイヤハーネスを特定する。
【０００９】
上述した部位毎コネクタ・配線情報を作成する部位毎コネクタ・配線情報作成工程を経た後、続いて、補機毎配線情報の記述と部位毎コネクタ・配線情報の記述が一致するか、つまり、補機毎配線情報における電気部品間を繋ぐ回路線の始点および終点と、部位毎コネクタ・配線情報における電気部品間を繋ぐ電線の接続の始点および終点が、一致するか、その正否を判定する正否判定工程に移る。
【先行技術文献】
【特許文献】
【００１０】
【特許文献１】特開２０００−１６３４５３号公報
【発明の概要】
【発明が解決しようとする課題】
【００１１】
対象となる車両の分割領域毎に配索可能なワイヤハーネスを特定することによって部位毎コネクタ・配線情報を作成する際、分割領域に配索可能なワイヤハーネスの候補が複数存在する場合がある。仮に、車両空間が３つの分割領域によって区分けされる場合であって該分割領域に配索可能なワイヤハーネスの候補がそれぞれ２パターンあるとき、部位毎コネクタ・配線情報は８（２×２×２）パターン作成され、そのそれぞれに対して正否判定工程を実施する必要がある。
【００１２】
しかしながら、分割領域に配索可能なワイヤハーネスの候補が増えれば増えるほど、部位毎コネクタ・配線情報のパターン作成個数も増えることになる。その結果、部位毎コネクタ・配線情報それぞれに対して実施される正否判定工程に多大な時間を要することになってしまう。
【００１３】
本発明は、上述した事情に鑑みてなされたものであり、その目的は、正否判定工程に要する時間を短縮することができるワイヤハーネス導通検査方法およびワイヤハーネス導通検査プログラムを提供することにある。
【課題を解決するための手段】
【００１４】
前述した目的を達成するために、本発明に係るワイヤハーネス導通検査方法は、下記（１）を特徴としている。
（１）  コンピュータが、車両空間を区分けする分割領域毎に、該分割領域に割り当てられた仕様コードを参照する参照ステップと、
コンピュータが、前記分割領域のなかから、割り当てられた仕様コードの個数が最も多い第１の分割領域を特定する第１特定ステップと、
コンピュータが、前記第１の分割領域に割り当てられた仕様コードと共通するものが少なくとも一つ割り当てられた、前記第１の分割領域と繋がりのある前記分割領域のなかから、割り当てられた仕様コードの個数が最も多い第２の分割領域を特定する第２特定ステップと、
コンピュータが、前記第１の分割領域に配索可能な第１のワイヤハーネスのいずれか一つと、前記第２の分割領域に配索可能な第２のワイヤハーネスのいずれか一つと、について少なくとも記述された部位毎コネクタ・配線情報を、該第１のワイヤハーネスと該第２のワイヤハーネスの組合せの数作成する作成ステップと、
コンピュータが、作成した前記部位毎コネクタ・配線情報に対して、電線の接続の誤りの有無を検査する検査ステップと、
を有すること。
【００１５】
前述した目的を達成するために、本発明に係るワイヤハーネス導通検査プログラムは、下記（２）を特徴としている。
（２）  コンピュータに、上記（１）の構成のワイヤハーネス導通検査方法の各ステップを実行させるためのワイヤハーネス導通検査プログラム。
【００１６】
上記（１）の構成のワイヤハーネス導通検査方法および上記（２）のワイヤハーネス導通検査プログラムによれば、従来方法に比して部位毎コネクタ・配線情報のパターン作成個数を減らすことができ、それにより正否判定工程に要する時間を短縮することができる。
【発明の効果】
【００１７】
本発明のワイヤハーネス導通検査方法およびワイヤハーネス導通検査プログラムによれば、正否判定工程に要する時間を短縮することができる。
【００１８】
以上、本発明について簡潔に説明した。更に、以下に説明される発明を実施するための形態を添付の図面を参照して通読することにより、本発明の詳細は更に明確化されるであろう。
【図面の簡単な説明】
【００１９】
【図１】本発明に係る実施の形態のワイヤハーネス導通検査方法における、分割領域の繋がりの有無を説明する図。（ａ）は車両Ａに関するもの、（ｂ）は車両Ｂに関するもの
【図２】本発明に係る実施の形態のワイヤハーネス導通検査方法による、正否判定工程をすべき部位毎コネクタ・配線情報のパターン作成個数の概念図（車両Ａに対応するもの）
【図３】従来の、正否判定工程をすべき部位毎コネクタ・配線情報のパターン作成個数の概念図（車両Ａに対応するもの）
【図４】本発明に係る実施の形態のワイヤハーネス導通検査方法による、正否判定工程をすべき部位毎コネクタ・配線情報のパターン作成個数の概念図（車両Ｂに対応するもの）
【図５】本発明に係る実施の形態のワイヤハーネス導通検査装置の機能ブロック図
【発明を実施するための形態】
【００２０】
以下、本発明に係る実施の形態のワイヤハーネス導通検査方法について説明する。
【００２１】
［組合せ絞込工程］
〔組合せ絞込工程の目的〕
正否判定工程では、ひとまとまりの補機毎配線情報（ひとまとまりの補機毎配線情報は、ヘッドランプシステム、エアバックシステム、エアコンシステム、エンジンコントロールシステム、アンチロックブレーキシステム等のそれぞれ独立して駆動するシステム毎に一つ指定された、複数の補機毎配線情報から構成される。）と、ひとまとまりの部位毎コネクタ・配線情報（ひとまとまりの部位毎コネクタ・配線情報は、分割領域毎に一つのワイヤハーネスが指定された、複数の部位毎コネクタ・配線情報から構成される。）と、を用いて、導通の有無が検査される。
【００２２】
このとき、［発明が解決しようとする課題］にて説明したように、ある分割領域に配索可能なワイヤハーネスの候補が複数存在する場合、その候補のいずれか一つが該分割領域に配索されたひとまとまりの部位毎コネクタ・配線情報を作成し、その部位毎コネクタ・配線情報それぞれについて正否判定工程を実施しなければならない。例えば、分割領域Ａに配索可能なワイヤハーネスの候補がＡ−１、Ａ−２、Ａ−３の３つある場合、ワイヤハーネスの候補のＡ−１、Ａ−２、Ａ−３のいずれか一つが該分割領域Ａに配索されたひとまとまりの部位毎コネクタ・配線情報を合計３つ作成し、部位毎コネクタ・配線情報それぞれについて正否判定工程を実施しなければならない。さらに、例えば、分割領域Ａに配索可能なワイヤハーネスの候補がＡ−１、Ａ−２、Ａ−３の３つ、分割領域Ｂに配索可能なワイヤハーネスの候補がＢ−１、Ｂ−２、Ｂ−３の３つある場合、分割領域Ａに配索可能なワイヤハーネスの候補のＡ−１、Ａ−２、Ａ−３のいずれか一つ、および分割領域Ｂに配索可能なワイヤハーネスの候補のＢ−１、Ｂ−２、Ｂ−３のいずれか一つが、該分割領域Ａおよび該分割領域Ｂに配索されたひとまとまりの部位毎コネクタ・配線情報を合計９つ（３×３）作成し、部位毎コネクタ・配線情報それぞれについて正否判定工程を実施しなければならない。要は、配索可能なワイヤハーネスの候補が分割領域Ａにａ個、分割領域Ｂにｂ個、分割領域Ｃにｃ個、・・・ある場合、その組合せの数（ａ×ｂ×ｃ×・・・）個だけ、ひとまとまりの部位毎コネクタ・配線情報を作成し、部位毎コネクタ・配線情報それぞれについて正否判定工程を実施しなければならない。その組合せの数は、車両によるが、１０万以上にも及ぶことがある。
【００２３】
しかしながら、分割領域に配索可能なワイヤハーネスの候補が増えれば増えるほど、ひとまとまりの部位毎コネクタ・配線情報も増えることになる。その結果、ひとまとまりの部位毎コネクタ・配線情報それぞれに対して実施される上述の正否判定工程に多大な時間を要することになってしまう。これから説明する組合せ絞込工程の目的は、正否判定工程の対象となるひとまとまりの部位毎コネクタ・配線情報の数を効率的に減らすことで、正否判定工程に要する時間を短縮することにある。
【００２４】
〔組合せ絞込工程の概要〕
図１に示す、本発明に係る実施の形態のワイヤハーネス導通検査方法における、分割領域の繋がりの有無を説明する図を参照して、組合せ絞込工程の概要を説明する。
図１では、車両空間が分割領域Ａ、Ｂ、Ｃの３つに区分けされた状態を示している。ここでは、グレードおよびオプション機能の有無毎によって特定される一車種の車両空間を表しているものとする。一つの車種を特定すれば、その車両に搭載される、ヘッドランプシステム、エアバックシステム、エアコンシステム、エンジンコントロールシステム、アンチロックブレーキ等の、それぞれ独立して駆動するシステムが特定される。本明細書では、ある車両が明確に満たさなければならないシステムの集まりを「仕様」と定義し、その集まりを構成する個別のシステムを識別するための情報を「仕様コード」と称する。
【００２５】
図１（ａ）では、ヘッドランプシステム（仕様コード「ＨＬＳ」で表される。）、エアバックシステム（仕様コード「ＡｉＢＳ」で表される。）、エアコンシステム（仕様コード「ＡＣＳ」で表される。）、エンジンコントロールシステム（仕様コード「ＥＣＳ」で表される。）、アンチロックブレーキシステム（仕様コード「ＡｎＢＳ」で表される。）が仕様として満たされた車両Ａを想定している。また、図１（ｂ）では、ヘッドランプシステム（仕様コード「ＨＬＳ」で表される。）、エアバックシステム（仕様コード「ＡｉＢＳ」で表される。）、エアコンシステム（仕様コード「ＡＣＳ」で表される。）、エンジンコントロールシステム（仕様コード「ＥＣＳ」で表される。）、アンチロックブレーキシステム（仕様コード「ＡｎＢＳ」で表される。）が仕様として満たされた車両Ｂを想定している。尚、車両Ａおよび車両Ｂは、同一の車両であるものの、グレードおよびオプション機能の有無が異なる車種であるものとする。
【００２６】
複数の分割領域によって車両空間が区分けされた車両には、仕様コードは、その仕様コードによって識別されるシステムを駆動させるために必要なワイヤハーネスが配索されるべき分割領域毎に割り当てられる。例えば、図１（ａ）に示す車両Ａには、ヘッドランプシステムを識別する仕様コードが分割領域ＡおよびＢに、エアバックシステムを識別する仕様コードが分割領域ＢおよびＣに、エアコンシステムを識別する仕様コードが分割領域Ａ、ＢおよびＣに、エンジンコントロールシステムを識別する仕様コードが分割領域ＡおよびＢに、アンチロックブレーキシステムを識別する仕様コードが分割領域Ａ、ＢおよびＣに、それぞれ割り当てられている。また、例えば、図１（ｂ）に示す車両Ｂには、ヘッドランプシステムを識別する仕様コードが分割領域ＡおよびＢに、エアバックシステムを識別する仕様コードが分割領域ＢおよびＣに、エアコンシステムを識別する仕様コードが分割領域ＢおよびＣに、エンジンコントロールシステムを識別する仕様コードが分割領域ＡおよびＢに、アンチロックブレーキシステムを識別する仕様コードが分割領域ＢおよびＣに、それぞれ割り当てられている。
【００２７】
続いて、上述した仕様コードを分割領域毎に見てみる。図１（ａ）に示す車両Ａには、分割領域Ａには、仕様コード「ＨＬＳ」、「ＡＣＳ」、「ＥＣＳ」、「ＡｎＢＳ」の合計４つの仕様コードが割り当てられ、分割領域Ｂには、仕様コード「ＨＬＳ」、「ＡｉＢＳ」、「ＡＣＳ」、「ＥＣＳ」、「ＡｎＢＳ」の合計５つの仕様コードが割り当てられ、分割領域Ｃには、仕様コード「ＡｉＢＳ」、「ＡＣＳ」、「ＡｎＢＳ」の合計３つの仕様コードが割り当てられている。また、図１（ｂ）に示す車両Ｂには、分割領域Ａには、仕様コード「ＨＬＳ」、「ＥＣＳ」の合計２つの仕様コードが割り当てられ、分割領域Ｂには、仕様コード「ＨＬＳ」、「ＡｉＢＳ」、「ＡＣＳ」、「ＥＣＳ」、「ＡｎＢＳ」の合計５つの仕様コードが割り当てられ、分割領域Ｃには、「ＡｉＢＳ」、「ＡＣＳ」、「ＡｎＢＳ」の合計３つの仕様コードが割り当てられている。
【００２８】
このように、各分割領域に割り当てられる仕様コードの個数は異なる。仕様コードが多く割り当てられた分割領域ほどその分割領域に位置する電線は多く存在し、したがって、該分割領域に配索可能なワイヤハーネスは他の分割領域に配索可能なワイヤハーネスと電線の接続箇所が多く、これらのワイヤハーネスの導通検査を実施する必要性が高いと言える。一方、仕様コードが少なく割り当てられた分割領域に位置する電線は少なく、したがって、該分割領域に配索可能なワイヤハーネスは他の分割領域に配索可能なワイヤハーネスと電線の接続箇所が少なく、該分割領域に配索可能なワイヤハーネスの導通検査を実施する必要性が低いと言える。
【００２９】
さらに、上述した仕様コードの関係を２つの分割領域を中心に見てみる。図１（ａ）に示す車両Ａでは、分割領域Ａ−分割領域Ｂには、仕様コード「ＨＬＳ」、「ＡＣＳ」、「ＥＣＳ」、「ＡｎＢＳ」が共通し、分割領域Ｂ−分割領域Ｃには、仕様コード「ＡｉＢＳ」、「ＡＣＳ」、「ＡｎＢＳ」が共通し、分割領域Ｃ−分割領域Ａには、仕様コード「ＡＣＳ」、「ＡｎＢＳ」が共通している。このように、ある分割領域Ｘと、別の分割領域Ｙとに、少なくとも一つの仕様コードが共通している場合、以降、「分割領域Ｘ−Ｙ間で繋がりがある」と称する。そうすると、図１（ａ）に示す車両Ａでは、分割領域Ａ−分割領域Ｂ間、分割領域Ｂ−分割領域Ｃ間、分割領域Ｃ−分割領域Ａ間で繋がりがあると言える。
【００３０】
一方、図１（ｂ）に示す車両Ｂでは、分割領域Ａ−分割領域Ｂには、仕様コード「ＨＬＳ」、「ＥＣＳ」が共通し、分割領域Ｂ−分割領域Ｃには、仕様コード「ＡｉＢＳ」、「ＡＣＳ」、「ＡｎＢＳ」が共通し、分割領域Ｃ−分割領域Ａには、共通する仕様コードが無い。そうすると、図１（ｂ）に示す車両Ｂでは、分割領域Ａ−分割領域Ｂ間、分割領域Ｂ−分割領域Ｃ間で繋がりがあると言えるものの、図１（ａ）に示す車両Ａとは異なり、分割領域Ｃ−分割領域Ａ間では繋がりがない。
【００３１】
本発明に係る実施の形態のワイヤハーネス導通検査方法による組合せ絞込工程では、分割領域に割り当てられた仕様コードの個数、および、２つの分割領域間での繋がりの有無に基づいて、正否判定工程の対象となるひとまとまりの部位毎コネクタ・配線情報のパターン作成個数を効率的に減らす。
【００３２】
〔組合せ絞込工程の詳細〕
図２に示す、本発明に係る実施の形態のワイヤハーネス導通検査方法による、正否判定工程をすべき部位毎コネクタ・配線情報のパターン作成個数の概念図を参照して、組合せ絞込工程の詳細を説明する。尚、図２の概念図は、図１（ａ）に示す車両Ａに対応するものである。
【００３３】
図２に示すように、図１（ａ）に示す車両Ａの各分割領域Ａ、Ｂ、Ｃに割り当てられる仕様コードの個数は、分割領域Ａには４個、分割領域Ｂには５個、分割領域Ｃには３個である。ここで、まず、仕様コードが最も多く割り当てられた分割領域を特定する（この分割領域を、以後メイン１と称する）。図１（ａ）に示す車両Ａでは、分割領域Ｂがメイン１であることがわかる。このようにして特定されたメイン１は、当該車両Ａにおいて、仕様コードが最も多く割り当てられた分割領域であり、このため、他の分割領域との繋がりが最も多い分割領域と言える。
【００３４】
続いて、メイン１（分割領域Ｂ）と繋がりのある分割領域のなかから、割り当てられた仕様コードの個数が最も多い分割領域を特定する（この分割領域を、以後メイン２と称する）。図１（ａ）に示す車両Ａでは、メイン１と繋がりのある分割領域は、分割領域ＡおよびＣであり、また、分割領域ＡおよびＣのうち、割り当てられた仕様コードの個数が多いものは分割領域Ａである。このため、分割領域Ａがメイン２であることがわかる。このようにして特定されたメイン２は、当該車両Ａにおいて、メイン１と共通する仕様コードの個数が最も多い分割領域であり、このため、メイン１と繋がりのある分割領域のなかでその繋がりが最も深いと言える。
【００３５】
このようにして特定されたメイン１−メイン２に配索可能なワイヤハーネスは、当該車両Ａにおいて、最も電線の接続箇所が多いため、それらのワイヤハーネスの導通検査を実施する必要性が最も高いと言える。逆に、メイン１−分割領域Ｃに配索可能なワイヤハーネス、およびメイン２−分割領域Ｃに配索可能なワイヤハーネスは、当該車両Ａにおいて、メイン１−メイン２に配索可能なワイヤハーネスよりも電線の接続箇所が少ないため、それらのワイヤハーネスの導通検査を実施する必要性が低いと言える。
【００３６】
本発明に係る実施の形態のワイヤハーネス導通検査方法では、配索可能なワイヤハーネスの候補が分割領域Ａにａ個、分割領域Ｂにｂ個、分割領域Ｃにｃ個ある場合、メイン１またはメイン２のいずれにも該当しなかった分割領域に配索可能なワイヤハーネスの候補の全てを部位毎コネクタ・配線情報に記述する対象とせず、メイン１（分割領域Ｂ）およびメイン２（分割領域Ａ）毎にワイヤハーネスの候補の一つが指定されたひとまとまりの部位毎コネクタ・配線情報を合計（ａ×ｂ）個だけパターンを作成し、その（ａ×ｂ）個の部位毎コネクタ・配線情報それぞれについて正否判定工程を実施する。尚、メイン１またはメイン２のいずれにも該当しなかった分割領域には、その分割領域に配索可能なワイヤハーネスの候補のうちの任意の一つを部位毎コネクタ・配線情報に記述する対象とする。このようにしても、ひとまとまりの部位毎コネクタ・配線情報のパターン作成個数は（ａ×ｂ）個である。
【００３７】
従来方法では、分割領域Ａ、Ｂ、Ｃ毎に一つのワイヤハーネスが指定されたひとまとまりの部位毎コネクタ・配線情報を作成しなければならない。この結果、図３に示す、従来の、正否判定工程をすべき部位毎コネクタ・配線情報のパターン作成個数の概念図のように、配索可能なワイヤハーネスの候補が分割領域Ａにａ個、分割領域Ｂにｂ個、分割領域Ｃにｃ個ある場合、その組合せの数（ａ×ｂ×ｃ）個だけ、ひとまとまりの部位毎コネクタ・配線情報を作成し、（ａ×ｂ×ｃ）個の部位毎コネクタ・配線情報それぞれについて正否判定工程を実施しなければならない。
【００３８】
一方、本発明に係る実施の形態のワイヤハーネス導通検査方法では、配索可能なワイヤハーネスの候補が分割領域Ａにａ個、分割領域Ｂにｂ個、分割領域Ｃにｃ個、・・・ある場合、絞り込まれた２つの分割領域（図２では分割領域Ａ、Ｂに絞り込まれている。）毎に一つ指定されたひとまとまりの部位毎コネクタ・配線情報を（ａ×ｂ）個だけ作成し、（ａ×ｂ）個の部位毎コネクタ・配線情報それぞれについて正否判定工程を実施する。従来方法に比して、〔（ａ×ｂ×ｃ）−（ａ×ｂ）〕の部位毎コネクタ・配線情報の作成を省き、それにより〔（ａ×ｂ×ｃ）−（ａ×ｂ）〕個の部位毎コネクタ・配線情報の正否判定工程に要する時間を短縮することができる。
【００３９】
さらに、本発明に係る実施の形態のワイヤハーネス導通検査方法の理解を助けるために、図４に示す、本発明に係る実施の形態のワイヤハーネス導通検査方法による、正否判定工程をすべき部位毎コネクタ・配線情報のパターン作成個数の概念図を参照して、組合せ絞込工程を説明する。尚、図４の概念図は、図１（ｂ）に示す車両Ｂに対応するものである。
【００４０】
図４に示すように、図１（ｂ）に示す車両Ａの各分割領域Ａ、Ｂ、Ｃに割り当てられる仕様コードの個数は、分割領域Ａには２個、分割領域Ｂには５個、分割領域Ｃには３個である。ここで、まず、仕様コードが最も多く割り当てられた分割領域を特定する。図１（ｂ）に示す車両Ｂでは、分割領域Ｂがメイン１であることがわかる。
【００４１】
続いて、メイン１（分割領域Ｂ）と繋がりのある分割領域のなかから、割り当てられた仕様コードの個数が最も多い分割領域を特定する。図１（ｂ）に示す車両Ｂでは、メイン１と繋がりのある分割領域は、分割領域ＡおよびＣであり、また、分割領域ＡおよびＣのうち、割り当てられた仕様コードの個数が多いものは分割領域Ｃである。このため、分割領域Ｃがメイン２であることがわかる。
【００４２】
このようにして特定されたメイン１−メイン２に配索可能なワイヤハーネスは、当該車両Ｂにおいて、最も電線の接続箇所が多いため、それらのワイヤハーネスの導通検査を実施する必要性が最も高いと言える。逆に、メイン１−分割領域Ａに配索可能なワイヤハーネス、およびメイン２−分割領域Ａに配索可能なワイヤハーネスは、当該車両Ｂにおいて、メイン１−メイン２に配索可能なワイヤハーネスよりも電線の接続箇所が少ないため、それらのワイヤハーネスの導通検査を実施する必要性が低いと言える。
【００４３】
本発明に係る実施の形態のワイヤハーネス導通検査方法では、配索可能なワイヤハーネスの候補が分割領域Ａにａ個、分割領域Ｂにｂ個、分割領域Ｃにｃ個ある場合、メイン１またはメイン２のいずれにも該当しなかった分割領域に配索可能なワイヤハーネスの候補の全てを部位毎コネクタ・配線情報に記述する対象とせず、メイン１（分割領域Ｂ）およびメイン２（分割領域Ｃ）毎にワイヤハーネスの候補の一つが指定されたひとまとまりの部位毎コネクタ・配線情報を合計（ｂ×ｃ）個だけパターンを作成し、その（ｂ×ｃ）個の部位毎コネクタ・配線情報それぞれについて正否判定工程を実施する。従来方法に比して、〔（ａ×ｂ×ｃ）−（ｂ×ｃ）〕の部位毎コネクタ・配線情報の作成を省き、それにより〔（ａ×ｂ×ｃ）−（ｂ×ｃ）〕個の部位毎コネクタ・配線情報の正否判定工程に要する時間を短縮することができる。
【００４４】
以上、本発明に係る実施の形態のワイヤハーネス導通検査方法によれば、従来方法に比して部位毎コネクタ・配線情報のパターン作成個数を減らすことができ、それにより正否判定工程に要する時間を短縮することができる。
【００４５】
尚、上述のメイン１を特定するに当たって、複数の分割領域において仕様コードの個数が同数であることが考えられる。このような場合には、仕様コードの個数が同数の複数の分割領域のなかからいずれか一つを選ぶ必要があるが、このとき、例えば、それら複数の分割領域に配索可能なワイヤハーネスの候補の数の大小を比較し、その候補の数が最も多い分割領域をメイン１として特定する。同様に、上述のメイン２を特定するに当たっても、複数の分割領域において仕様コードの個数が同数であることが考えられる。このような場合にも、例えば、それら複数の分割領域に配索可能なワイヤハーネスの候補の数の大小を比較し、その候補の数が最も多い分割領域をメイン２として特定したり、あるいは、それら複数の分割領域それぞれとメイン１に共通する仕様コードの個数の大小を比較し、その個数が最も多い分割領域をメイン２として特定する。
【００４６】
以降、本発明に係る実施の形態のワイヤハーネス導通検査装置の構成を説明する。まず、図５に示す、本発明に係る実施の形態のワイヤハーネス導通検査装置の機能ブロック図を参照して、本発明に係る実施の形態のワイヤハーネス導通検査装置の構成を説明する。
【００４７】
［ワイヤハーネス導通検査装置の構成］
本発明に係る実施の形態のワイヤハーネス導通検査装置は、入力部３１１、データベース部３１２、プログラム記憶部３１３、データ記憶部３１４、表示部３１５、処理部３１６を含んで構成される。本発明のワイヤハーネス導通検査装置は、例えば汎用ＰＣによって構成される場合、入力部３１１はキーボード、マウス、テンキーなどの各種入力インタフェースによって実現され、データベース部３１２及びプログラム記憶部３１３は、ハードディスクドライブ（ＨＤＤ）によって実現され、データ記憶部３１４はＲＡＭ（Ｒａｎｄｏｍ  Ａｃｃｅｓｓ  Ｍｅｍｏｒｙ）によって実現され、表示部３１５はＣＲＴディスプレイ、液晶ディスプレイなどの各種出力デバイスによって実現され、処理部３１６は、ＣＰＵ（Ｃｅｎｔｒａｌ  Ｐｒｏｃｅｓｓｉｎｇ  Ｕｎｉｔ）によって実現される。データベース部３１２には、補機毎配線情報のデータ、および部位毎コネクタ・配線情報のデータ（必要に応じて、該補機毎配線情報に基づいて作成された実体配線図のデータ）が記憶されているとともに、補機仕様表のデータが記憶されている。また、プログラム記憶部３１３には、上述の組合せ絞込工程を処理部３１６に実行するためのプログラムが記録されている。また、データ記憶部３１４には、組合せ絞込工程を実行している処理部３１６から入出力されるデータが記録される。本発明のワイヤハーネス導通検査装置に組合せ絞込工程を実行させようとする者は、表示部３１５を視認しながら入力部３１１を使って、処理部３１６に演算させるための各種操作を行う。
【符号の説明】
【００４８】
３１１  入力部
３１２  データベース部
３１３  プログラム記憶部
３１４  データ記憶部
３１５  表示部
３１６  処理部
【図１】
0005557384.tif 000002
【図２】
0005557384.tif 000003
【図３】
0005557384.tif 000004
【図４】
0005557384.tif 000005
【図５】
0005557384.tif 000006